(57)【要約】【課題】通信量が少なく、操作の手間を省くことができる音声メール装置を提供すること。【解決手段】音声メール装置１８には、所定パターンの音声データを複数記憶した音声出力ＩＣ２７ａ〜２７ｎと、ユーザが所定範囲内に存在することを検出する人体検出センサ３０と、送信端末から受信した前記音声データを指定する指定コードを記憶するコード蓄積部２５が備えられている。また、音声メール装置１８には、人体検出センサ３０が所定範囲内にユーザが存在することを検出したとき、コード蓄積部２５の指定コードにより指定された音声データを音声出力ＩＣ２７ａ〜２７ｎから選択する出力音声選択回路２６と、出力音声選択回路２６が選択した音声データに基づいて音声出力するスピーカ２９が備えられている。【選択図】        図４
2004343221.tif 000002
【特許請求の範囲】
【請求項１】
所定パターンの音声データを複数記憶した音声記憶手段と、
所定範囲内にユーザが存在するか否かを検出する検出手段と、
送信端末から受信した指定コードを記憶する蓄積手段と、
前記検出手段の検出結果に基づき前記所定範囲内にユーザが存在するとき、前記蓄積手段の指定コードにより前記音声記憶手段の音声データを選択する選択手段と、
前記選択手段が選択した音声データに基づいて音声出力する出力手段と、
が備えられたことを特徴とする音声メール装置。
【請求項２】
前記選択手段は、前記指定コードの指定順序に従って前記音声データを選択し、前記出力手段は前記選択手段により順次選択された音声データに基づき音声出力することを特徴とする請求項１に記載の音声メール装置。
【請求項３】
ユーザの状況を知らせる応答コードを送信する送信手段が備えられたことを特徴とする請求項１又は２に記載の音声メール装置。
【請求項４】
送信端末から受信した指定コードに基づいて、該指定コードが指定する制御命令に応じた処理を行う処理手段が備えられたことを特徴とする請求項１〜３のいずれか一項に記載の音声メール装置。
【発明の詳細な説明】
【０００１】
【発明の属する技術分野】
本発明は、音声メール装置に関するものである。
【０００２】
【従来の技術】
近年、電子メールはその利便性、迅速性等の理由からビジネス等の現場において、ビジネスコミュニケーションのために必要不可欠なツールとなっている。特に、携帯電話、ノートパソコン等のモバイル機器における情報通信においては、文字を直接入出力する必要のない音声データを含む電子メール（以下、音声メールという）が使用される機会が多くなってきている。
【０００３】
従来、モバイル機器において、音声メールを使用する方法としては、送受信装置が、移動体通信網を介して直接音声データを送受信する方法が存在した（例えば、特許文献１）。
【０００４】
【特許文献１】
特開２０００−２７８４３９号公報
【０００５】
【発明が解決しようとする課題】
しかしながら、音声データのデータ量は、テキストデータ（文字データ）のデータ量と比較して遙かに多く、光ケーブル等の通信ケーブルを介して通信を行う場合と比べて通信速度の低い移動体通信網を介して音声データの送受信を行うには、あまり適さなかった。また、メールを頻繁に使用するようなビジネスツールとして活用する場合は、通信量の増加に伴い、通信費が高くなる問題があった。
【０００６】
また、音声メールといえども音声メール装置に音声出力させるためには、手動で音声メール装置を起動して操作しなくてはならず、頻繁にメールのやりとりを行うビジネスツールとしては、その手間がかかりすぎるといった問題があった。
【０００７】
本発明は上記問題点を解決するためになされたものであって、その目的は、通信量が少なく、操作の手間を省くことができる音声メール装置を提供することにある。
【０００８】
【課題を解決するための手段】
上記目的を達成するために、請求項１に記載の発明は、所定パターンの音声データを複数記憶した音声記憶手段と、所定範囲内にユーザが存在するか否かを検出する検出手段と、送信端末から受信した指定コードを記憶する蓄積手段と、前記検出手段の検出結果に基づき前記所定範囲内にユーザが存在するとき、前記蓄積手段の指定コードにより前記音声記憶手段の音声データを選択する選択手段と、前記選択手段が選択した音声データに基づいて音声出力する出力手段と、が備えられた。
【０００９】
請求項２に記載の発明は、前記選択手段は、前記指定データの指定順序に従って前記音声データを選択し、前記出力手段は前記選択手段により順次選択された音声データに基づき音声出力する。
【００１０】
請求項３に記載の発明は、ユーザの状況を知らせる応答コードを送信する送信手段が備えられた。
請求項４に記載の発明は、送信端末から受信した指定コードに基づいて、該指定コードが指定する制御命令に応じた処理を行う処理手段が備えられた。
【００１１】
（作用）
請求項１に記載の発明によれば、データ量が多い音声データを移動体通信網で送受信しなくても、データ量の少ないテキストデータである指定コードを送受信することで、ユーザは、メッセージを音声にて聞くことが可能となる。従って、移動体通信網等を使用するために通信速度が低い場合でも、通信を高速に行うことができ、また、音声データと比較してデータ量が少ない指定コードで通信するので、通信コストを低減することが可能となる。さらに、検出手段にてユーザが所定範囲内に入ったときにメッセージが音声出力されるので、ユーザは、音声メール装置を直接操作しなくても、検出手段により検出される所定範囲内に入るだけで、音声メール装置を起動させ、メッセージの内容を聞くことが可能となり、操作の手間を省くことができる。
【００１２】
請求項２に記載の発明によれば、音声メール装置は、指定コードにより指定された音声データを選択し、選択した音声データを指定コードにより指定された順番に出力手段にてメッセージを音声出力した。このため、重複する音声データが少なくなるので、音声記憶手段に多くの音声データを記憶する必要がない。従って、音声メール装置に音声データを大量に記憶する必要がないので、音声メール装置の製造コストを低減することが可能となる。
【００１３】
請求項３に記載の発明によれば、ユーザの状況を知らせる応答コードを送信する送信手段が備えられたため、送信端末にユーザの状況を知らせることが可能となる。このため、送信端末の操作者は、送信端末にて音声メール装置のユーザの状況を逐次把握することができ、ユーザの状況に応じた指定コードを送信することが可能となる。従って、ユーザは、自分に無関係な音声メールを受け取ることが少なくなる。
【００１４】
請求項４に記載の発明によれば、送信端末から受信した指定コードに基づいて、該指定コードが指定する制御命令に応じた処理を行う処理手段が備えられたため、送信端末側から音声メール装置を制御することが可能となる。
【００１５】
【発明の実施の形態】
以下、本発明を具体化した一実施形態を図面に従って説明する。
図１は、通信システム１１の概略構成図である。
【００１６】
オペレータが使用する送信端末１２は、ケーブルを介してゲートウェイ１３と接続されている。ゲートウェイ１３は、移動体通信網１４を介してユーザが使用する車両１５に備えられた無線端末機１６に接続されている。該無線端末機１６は、同じ車両１５に備えられたパケット制御機１７と接続されており、また、該パケット制御機１７は、同じく車載された音声メール装置１８と接続されている。
【００１７】
送信端末１２は、オペレータのボタン操作に応じて、テキストデータである指定コードを専用線、ゲートウェイ１３、移動体通信網１４を介して無線端末機１６に送信する送信機能が備えられている。
【００１８】
尚、指定コードは、数字と英文字の組み合わせからなるテキストデータであって、音声メール装置１８に所定のメッセージを音声出力させるために選択すべき音声データ及び選択した音声データの出力順序を指定するもの又は音声メール装置１８に行わせる処理を指定するものである。本実施形態において、指定コードは、「１」〜「７」の７種類存在する。図２（ａ）には、指定コードと、音声メール装置１８に音声出力させる所定のメッセージ又は処理させる制御命令との関係が示されている。具体的には、指定コード「１」〜「６」までは、音声メール装置１８に所定のメッセージを音声出力させるためのものであり、指定コード「７」は、音声メール装置１８に制御命令を処理させるものである。例えば、指定コード「５」は、「急用があります。至急営業所に連絡ください。」というメッセージを音声メール装置１８に音声出力させるものであり、指定コード「７」は、今まで送信した指定コードの消去させる制御命令を処理させるものである。尚、このデータテーブル１９は、送信端末１２に記憶されている。
【００１９】
また、送信端末１２には、各ユーザの状況を表示する監視機能が備えられている。オペレータのボタン操作により監視機能が実行されると、図３に示すような監視画面２０が画面に表示される。監視画面２０には、各ユーザの状況としてメッセージ応答状況２１と端末状況２２が表示される。
【００２０】
メッセージ応答状況２１には、今まで送信端末１２から車両１５に対して送信した指定コードの送信履歴２３ａ及び経過履歴２３ｂが表示される。送信履歴２３ａは、今までに送信した指定コード、該指定コードに対応するメッセージの内容、送信日時を含む。また、経過履歴２３ｂは、ユーザから受信した応答コードの受信日時を含む端末状況２２には、応答コードにより通知された音声メール装置１８の状況等が表示される。
【００２１】
尚、応答コードは、指定コードと同様に数字と英文字の組み合わせからなるテキストデータであり、ユーザの状況を音声メール装置１８から送信端末１２側に送信するために使用されるものである。本実施形態では、応答コードは、「１」〜「４」までの４種類存在する。図２（ｂ）に示すように、応答コード「１」は、ユーザがメッセージを聞いたことを確認するための使用されるものであり、また、応答コード「２」〜「４」は、端末状況２２を表示するために使用されるもので、それぞれ予め決められた状況が関連づけられている。つまり、送信端末１２は、応答コード「１」を受信すると、今まで送信した指定コードに関連づけられたメッセージの内容がユーザにより聞かれたと判断し、応答コード「１」を受信した時をユーザがメッセージを受け取った受信日時として経過履歴２３ｂに表示する。また、応答コード「２」を受信すると、送信端末１２は、端末状況２２を「空車／回送中」に変更し、表示する。尚、応答コード「３」又は応答コード「４」の場合も応答コード「２」と同様である。また、このデータテーブル２４は、送信端末１２に記憶されている。
【００２２】
次に、無線端末機１６、パケット制御機１７について説明する。
無線端末機１６は、移動体通信網１４を介して受信した指定コードをパケット制御機１７に送信する機能が備えられている。また、無線端末機１６には、パケット制御機１７から受信した応答コードを移動体通信網１４を介して送信端末１２に送信する機能が備えられている。
【００２３】
図４に示すように、パケット制御機１７は、受信した指定コードに基づいて音声メール装置１８に信号を出力する出力ポートＤＯ１〜ＤＯ７の信号レベルを切り替える機能が備えられている。また、パケット制御機１７は、音声メール装置１８に接続された入力ポートＤＩ１〜ＤＩ４の信号レベルから応答コードを取得し、取得した応答コードを無線端末機１６に送信する機能が備えられている。つまり、パケット制御機１７は、パケット通信情報をデジタル信号に、デジタル信号をパケット通信情報に変換する機能が備えられている。
【００２４】
次に、音声メール装置１８について説明する。図４は、音声メール装置１８のブロック図である。
音声メール装置１８には、蓄積手段としてのコード蓄積部２５と、選択手段としての出力音声選択回路２６と、音声記憶手段としての音声出力ＩＣ２７ａ〜２７ｎと、音声増幅器２８と、出力手段としてのスピーカ２９と、検出手段としての人体検出センサ３０と、各種スイッチ等が備えられている。
【００２５】
まず、コード蓄積部２５について説明する。
コード蓄積部２５は、指定コードを取得、判断し、蓄積する蓄積機能と、人体検出センサ３０等から入力された出力指示信号に基づいて指定コードを出力音声選択回路２６に入力する入力機能等が備えられている。尚、本実施形態においては、コード蓄積部２５は、処理手段としての機能も備えられている。
【００２６】
まず、蓄積機能について説明する。
コード蓄積部２５は、パケット制御機１７の出力ポートＤＯ１〜ＤＯ７と接続された入力ポートに接続されており、該出力ポートＤＯ１〜ＤＯ７から出力される信号レベルがパケット制御機１７により変更されると、該信号レベルに基づいて、指定コードを取得する。コード蓄積部２５は、図２（ａ）に示すデータテーブル１９が記憶されており、該データテーブル１９を参照して、取得した指定コードがメッセージと関連づけられたものか又は制御命令と関連づけられたものかを判断する。指定コードがメッセージと関連づけられたものであると判断すると、コード蓄積部２５は、該指定コードを記憶する。尚、指定コードは、パケット制御機１７から入力された順番に蓄積される。また、コード蓄積部２５は、取得した指定コードが制御命令と関連づけられたのであると判断した場合は、データテーブル１９を参照して、指定コードが指定する制御命令に従って、処理を行う。本実施形態では、制御命令を示す指定コードは、コード蓄積部２５に蓄積された指定コードを消去する制御命令を示す指定コード「７」だけである。従って、指定コード「７」が入力されると、コード蓄積部２５は、蓄積した指定コードを全て消去するように処理を行う。
【００２７】
次に、入力機能について説明する。
コード蓄積部２５は、メール受信スイッチ３１及び人体検出センサ３０と接続されている。メール受信スイッチ３１は、ユーザにより押下されることで、コード蓄積部２５に対して蓄積した指示コードを出力音声選択回路２６に入力するように指示する出力指示信号を入力する。また、人体検出センサ３０は、スピーカ２９が音声出力した音声が届く音声出力範囲にユーザが入ったことを検出する検出機能が備えられており、検出機能に基づいて音声出力範囲内にユーザが入ったことを検出すると、コード蓄積部２５に出力指示信号を入力する。尚、本実施形態において、人体検出センサ３０は、ユーザが車両１５の運転席に座ったときをスピーカ２９から音声出力した音声が届く音声出力範囲として擬制している。ここで、人体検出センサ３０が、ユーザが運転席に座ったことを検出する方法としては、例えば、赤外線にて運転席の状態変化を調べることにより、又は、運転席の荷重の変化を調べることにより検出している。
【００２８】
コード蓄積部２５は、メール受信スイッチ３１又は人体検出センサ３０から出力指示信号が入力されると、入力機能に従って、コード蓄積部２５に蓄積された指定コードを記憶した順番に従って出力音声選択回路２６に入力する。
【００２９】
次に出力音声選択回路２６と音声出力ＩＣ２７ａ〜２７ｎについて説明する。
先に音声出力ＩＣ２７ａ〜２７ｎについて説明する。
音声出力ＩＣ２７ａ〜２７ｎには、それぞれ所定パターンの音声データが記憶されており、出力音声選択回路２６から出力信号が入力されると、音声増幅器２８に対して記憶されている音声データを送信する機能が備えられている。音声出力ＩＣ２７ａ〜２７ｎにそれぞれ記憶されている音声データは、図２（ｃ）に示すように、指定データに関係づけられたメッセージを構成する要素を音声出力するための音声データである。例えば、音声出力ＩＣ２７ａには、「急用があります」という音声を出力するための音声データが記憶されており、音声出力ＩＣ２７ｂには、「至急」という音声を出力するための音声データが記憶されており、音声出力ＩＣ２７ｃには、「営業所に」という音声を出力するための音声データが記憶されている。図２（ｃ）に示すように、他の音声出力ＩＣ２７ｄ〜２７ｎも同様に指定コードに対応づけられたメッセージの構成要素を音声出力するための音声データが記憶されている。
【００３０】
そして、出力音声選択回路２６には、入力された指定コードに関連づけられたメッセージを音声出力するために、音声出力ＩＣ２７ａ〜２７ｎを使用し、音声出力ＩＣ２７ａ〜２７ｎに記憶されている音声データを組み合わせる機能が備えられている。
【００３１】
詳しくは、出力音声選択回路２６は、指定コードに関連づけられたメッセージが音声出力されるように、図２（ａ）のデータテーブル１９及び図２（ｃ）のデータテーブル３２の内容からメッセージが音声出力されるために必要な音声データを記憶している音声出力ＩＣ２７ａ〜２７ｎを選択する。そして、出力音声選択回路２６は、指定コードに関連づけられたメッセージ通りに音声出力されるように音声データをスピーカ２９に送信させるために、選択した音声出力ＩＣ２７ａ〜２７ｎに対して出力信号を入力する順序を決定し、決定した順序通りに出力信号を入力する処理を行う。つまり、指定コードは、出力音声選択回路２６にとって、選択すべき音声出力ＩＣ２７ａ〜２７ｎを指定する役割と、選択した音声出力ＩＣ２７ａ〜２７ｎに対して出力信号を入力する順序を指定する役割とを果たす。
【００３２】
尚、コード蓄積部２５に指定コードが複数蓄積されており、複数回指定コードが入力された場合、出力音声選択回路２６は、入力された順番に指定コードに基づいて出力信号を送信する。
【００３３】
次に、音声増幅器２８とスピーカ２９について説明する。
音声増幅器２８は、スピーカ２９と接続されており、音声出力ＩＣ２７ａ〜２７ｎから出力された音声データを増幅してスピーカ２９に出力する機能が備えられている。そして、スピーカ２９には、入力された音声データに基づいてユーザに対して音声出力を行う機能が備えられている。
【００３４】
また、音声メール装置１８には、受信応答スイッチ３３及び第１〜第３の通知スイッチ３４ａ〜３４ｃが備えられている。尚、本実施形態においては、少なくとも受信応答スイッチ３３又は第１〜第３の通知スイッチ３４ａ〜３４ｃが応答コード送信手段として機能する。
【００３５】
受信応答スイッチ３３は、音声出力されたメッセージに対応づけられた指定コードを消去し、送信端末１２にユーザが指定コードに関連づけられたメッセージを聞いた旨を通知するための応答コード「１」を送信するために使用されるスイッチである。詳しくは、受信応答スイッチ３３は、パケット制御機１７の入力ポートＤＩ１〜ＤＩ４及びコード蓄積部２５に接続されている。ユーザの操作により受信応答スイッチ３３は、コード蓄積部２５に対して記憶されている指定コードの消去を指示する制御命令を入力する。また、受信応答スイッチ３３は、それと同時に入力ポートＤＩ１〜ＤＩ４に出力する信号レベルが応答コード「１」を表すようにする。
【００３６】
第１〜第３の通知スイッチ３４ａ〜３４ｃは、ユーザの操作により音声メール装置１８に送信端末１２に端末状況を通知するための応答コードを送信させるために使用されるスイッチである。本実施形態においては、第１〜第３の通知スイッチ３４ａ〜３４ｃは、それぞれ応答コード「２」〜「４」に対応している。つまり、第１の通知スイッチ３４ａは、「空車／回送中」という端末状況２２を通知するための応答コード「２」を送信するために使用される。第２の通知スイッチ３４ｂは、「お客様へ直行中」という端末状況２２を通知するための応答コード「３」を送信するために使用される。第３の通知スイッチ３４ｃは、「緊急」という端末状況２２を通知するための応答コード「４」を送信するために使用される。第１〜第３の通知スイッチ３４ａ〜３４ｃは、入力ポートＤＩ１〜ＤＩ４と接続されており、第１〜第３の通知スイッチ３４ａ〜３４ｃが押下されると、入力ポートＤＩ１〜ＤＩ４の信号レベルがそれぞれ応答コード「２」〜「４」を表すように切り替わる。つまり、第１の通知スイッチ３４ａが押下されると応答コード「２」を表すように入力ポートＤＩ１〜ＤＩ４の信号レベルが変更される。尚、第２，第３の通知スイッチ３４ｂ，３４ｃも第１の通知スイッチ３４ａと同様である。
【００３７】
次に、指定コードを送信することによって、音声メール装置１８にメッセージを音声出力させる方法について説明する。
送信端末１２は、オペレータのボタン操作により指定コードを移動体通信網１４等を介してパケット制御機１７に送信する。パケット制御機１７は、受信した指定コードに基づいて出力ポートＤＯ１〜ＤＯ７の信号レベルを変更する。図５に示すように、音声メール装置１８のコード蓄積部２５は、出力ポートＤＯ１〜ＤＯ７の信号レベルに基づいて指定コードを取得する（ステップ１０１）。コード蓄積部２５は、取得した指定コードがメッセージに関連づけられたものか否か判断し（ステップ１０２）、メッセージに対応づけられたものならば、取得した指定コードを記憶する（ステップ１０３）。尚、取得した指定コードが制御命令と関連づけられたものならば、音声メール装置１８は、その制御命令に従って処理をし（ステップ１０４）、蓄積機能に関する処理を終了する。
【００３８】
ここで、ユーザが運転席に座るか、又は、メール受信スイッチ３１を押下すると、人体検出センサ３０又はメール受信スイッチ３１からコード蓄積部２５に対して出力指示信号が入力される。出力指示信号が入力されると、図６に示すように、コード蓄積部２５は、蓄積した指定コードを記憶した順番に、出力音声選択回路２６に入力する（ステップ２０１）。
【００３９】
出力音声選択回路２６は、入力された指定コードに従って、複数の音声出力ＩＣ２７ａ〜２７ｎの中から指定コードに関連づけられたメッセージを音声出力するために必要な音声データを記憶している音声出力ＩＣ２７ａ〜２７ｎを選択する。そして、出力音声選択回路２６は、指定コードに関連づけられたメッセージどおりに音声出力するように選択した音声出力ＩＣ２７ａ〜２７ｎに対する出力信号の入力順序を決定し、決定した入力順序通りに出力信号を入力する（ステップ２０２）。そして、出力音声選択回路２６によって選択された音声出力ＩＣ２７ａ〜２７ｎは、出力信号が入力されると、音声データをスピーカ２９に送信することで、指定コードに対応づけられたメッセージが音声出力される（ステップ２０３）。
【００４０】
例えば、指定コード「５」が出力音声選択回路２６に入力された場合について説明する。ここで、指定コード「５」に関連づけられたメッセージは、「急用があります。至急営業所に連絡ください」であり、該メッセージを音声出力するために必要な音声データは、図２（ｃ）に示すように、音声出力ＩＣ２７ａ〜２７ｄに記憶されている。このため、まず、出力音声選択回路２６は、指定コードに基づいて、音声出力ＩＣ２７ａ〜２７ｎの中からメッセージ「急用があります。至急営業所に連絡ください」を構成する音声データを記憶した音声出力ＩＣ２７ａ〜２７ｄを選択する。次に、出力音声選択回路２６は、指定コード「５」に関連づけられたメッセージの順番、即ち、音声出力ＩＣ２７ａ、音声出力ＩＣ２７ｂ、音声出力ＩＣ２７ｃ、音声出力ＩＣ２７ｄの順番に出力信号を入力する。音声出力ＩＣ２７ａ〜２７ｄは、出力信号が入力された順番で、記憶されている音声データを増幅器を介してスピーカ２９に送信する。このため、スピーカ２９は、指定コード「５」に関連づけられたメッセージと同じ順番（つまり、「急用があります」「至急」「営業所に」「連絡ください」という順番）に音声データを受信する。従って、スピーカ２９は、指定コード「５」に対応づけられたメッセージ「急用があります。至急営業所に連絡ください」を音声出力する。
【００４１】
次に、ユーザがメッセージを聞き、受信応答スイッチ３３がユーザにより押下されると、受信応答スイッチ３３は、コード蓄積部２５に指定コードの消去を命令する制御命令を入力して指定コードを消去させ、また、応答コード「１」を表すように入力ポートＤＩ１〜ＤＩ４の信号レベルを変更するように切り替える。
【００４２】
音声メール装置１８の入力ポートＤＩ１〜ＤＩ４の信号レベルが切り替わると、パケット制御機１７は、入力ポートＤＩ１〜ＤＩ４から出力された信号レベルに基づいて応答コード「１」を取得し、応答コード「１」を移動体通信網１４等を介して送信端末１２に送信する。
【００４３】
送信端末１２は、応答コード「１」を受信すると、監視機能に従って、メッセージ応答状況２１の経過履歴２３ｂに応答コード「１」を受信した日時を表示する。そして、オペレータは、メッセージ応答状況２１の表示を参照することにより、送信した指定コードに対応づけられたメッセージをユーザが聞いたか否か、及びいつ頃メッセージを聞いたか確認する。
【００４４】
以上詳述したように一実施形態は、以下の特徴を有する。
（１）音声メール装置１８は、所定パターンの音声データを記憶した音声出力ＩＣ２７ａ〜２７ｎを複数備え、コード蓄積部２５にて記憶した指定コードに従って、音声出力ＩＣ２７ａ〜２７ｎに記憶された音声データを組み合わせて、指定コードに関連づけられたメッセージの音声出力を行う。
【００４５】
これにより、データ量が多い音声データを移動体通信網１４で送受信しなくても、データ量の少ないテキストデータである指定コードを送受信することで、ユーザは、受信した指定コードに関連づけられたメッセージを音声にて聞くことが可能となる。従って、移動体通信網１４等を使用するために、通信速度が低い場合でも、通信を高速に行うことができ、また、音声データと比較してデータ量が少ない指定コードで通信するので、通信コストを低減することが可能となる。また、ビジネスツールとして使用する場合、メッセージの内容はある程度限られているので、音声出力ＩＣ２７ａ〜２７ｎに多くの音声データを記憶する必要がない。従って、音声メール装置１８に音声データを大量に記憶する必要がないので、音声メール装置１８の製造コストを低減することが可能となる。また、音声メール装置１８は、データ量の多い音声データを蓄積せずに、テキストデータである指定コードを蓄積するため、コード蓄積部２５の記憶容量を大きくする必要がない。
【００４６】
（２）音声メール装置１８は、ユーザが音声出力範囲内に存在するか否かを検出する人体検出センサ３０を備え、人体検出センサ３０が音声出力範囲内にユーザが入ってきたと判断したとき、コード蓄積部２５に蓄積された指定コードに関連づけられたメッセージを音声出力する。このため、ユーザは、音声メール装置１８を直接操作しなくても、人体検出センサ３０により検出される音声出力範囲内に入るだけで、音声メール装置１８を起動させ、メッセージを聞くことが可能となる。従って、音声メール装置１８を操作してメッセージを受信しているか否か調べる確認作業及びメッセージを音声出力させる手間を省くことが可能となる。即ち、メッセージを音声出力させる際に、音声メール装置１８を直接手入力にて操作する手間及び無駄な確認作業を大幅に省くことができ、頻繁に使用し、かつ、迅速性が要求されるビジネスツールとして適している。
【００４７】
（３）音声メール装置１８に受信応答スイッチ３３及び第１〜第３の通知スイッチ３４ａ〜３４ｃを備え、受信応答スイッチ３３又は第１〜第３の通知スイッチ３４ａ〜３４ｃを押下することにより、ユーザの状況を示す応答コード「１」〜「４」を送信端末１２に送信するようにした。そして、送信端末１２は、受信した応答コードに基づいてユーザの状況を表示させるようにした。このため、オペレータは、送信端末１２にてユーザの状況を逐次把握することができ、ユーザの状況に応じた指定コードを送信することが可能となる。従って、ユーザは、自分に無関係な音声メールを受け取ることが少なくなり、頻繁に使用し、かつ、的確な連絡（指示）が要求されるビジネスツールとして適している。
【００４８】
（４）送信端末１２は、オペレータのボタン操作により指定コードの消去を命令する制御命令を示す指定コード「７」を音声メール装置１８に送信すると、音声メール装置１８は、コード蓄積部２５に記憶されている指定コードを消去する。このため、不要なメッセージを音声メール装置１８に音声出力させないように送信端末１２側（オペレータ側）から指示することができ、音声メール装置１８は、不要なメッセージを再生することが少なくなる。従って、ユーザは、不要なメッセージを聞く手間を極力避けることが可能となる。
【００４９】
なお、上記以外に次の形態にて具体化できる。
○上記実施形態では、制御命令が対応づけられた指定コードは、コード蓄積部２５の指定コードを全て消去する制御命令が対応づけられた指定コード「７」だけでだったが、それ以外にも、指定コードを指定して一つずつ消去させる制御命令が対応づけられた指定コードを送信できるようにしても良い。また、指定コードを消去させる制御命令だけでなく、そのほかの処理を音声メール装置１８に行わせる制御命令が対応づけられた指定コードを送信できるようにしてもよい。
【００５０】
○上記実施形態では、音声メール装置１８は、車両１５に搭載したが車両１５に限られない。
○上記実施形態では、送信端末１２は、オペレータのボタン操作に基づいて指定コードを送信していたが、送信端末１２にセンサを設けてセンサの検出信号に基づいて指定コードを送信させるようにしても良い。例えば、送信端末１２に温度センサを備えて、該送信端末１２をビニールハウスに設置し、一定温度以下（又は一定温度以上）になったことを温度センサが検出したら、送信端末１２がその状況を示すメッセージが関連づけられた指定コードを送信するようにしてもよい。このようにすれば、毎回、温度計を目で見て温度を確認する手間を省くことができ、また、ビニールハウスの温度に異常が生じたときには、迅速に知ることができる。また、当然、送信端末１２を操作するオペレータも必要なくなる。
【００５１】
○上記実施形態では、送信端末１２は、オペレータのボタン操作に基づいて指定コードを送信していた。この別例として、例えば、音声メール装置１８の通知スイッチ３４ａ〜３４ｃをセンサに変更し、そのセンサ動作により、送信端末１２に対して指定コードを送信し、該指定コードを受信した送信端末１２が、該指定コードを送信した音声メール装置以外の複数の音声メール装置に該指定コードを送信しても良い。具体的には、音声メール装置１８に温度センサを備えて、ビニールハウスに設置し、一定温度以下（又は一定温度以上）になったことを温度センサが検出したら、音声メール装置１８がその状況を示すメッセージが関連づけられた指定コードを送信端末１２に送信する。そして、送信端末１２が、複数の音声メール装置１８に受信した指定コードを送信するようにしてもよい。また、センサを備えた音声メール装置１８が、複数の音声メール装置１８に指定コードを送信するようにしても良い。
【００５２】
○上記実施形態では、送信端末１２の監視機能に、無線端末機１６がどの基地局と通信しているか識別することによって、車両１５の位置を検出できるようにし、その位置を監視画面２０に表示するような機能を追加しても良い。このようにすれば、送信端末１２を操作するオペレータは、監視機能を使用することにより、車両１５の位置に応じて的確なメッセージを送信することが可能となる。さらに、送信端末１２に、指定コードに対応づけられたメッセージの内容をも判断させ、メッセージの内容及び車両１５の位置から最も該指示コードを送信するのに最適な車両１５を選択させて、指示コードを送信させるようにしてもよい。このようにすれば、オペレータが画面を見ることにより、車両１５の位置を確認する必要もなくなる。
【００５３】
○上記実施形態では、ユーザにより受信応答スイッチ３３が押下されたら、コード蓄積部２５に記憶された指定コードは全て消去されたが、一つずつ消せるようにしても良い。
【００５４】
○上記実施形態では、指定コードが送信された順番に、メッセージが音声出力されていたが、指定コードの順番を変更できるようにしてもよい。
○上記実施形態では、音声メール装置１８は、音声出力ＩＣ２７ａ〜２７ｎを複数備えて、複数の音声データを記憶していたが、複数の音声データを記憶することのできる音声記憶手段を一つだけ備えても良い。
【００５５】
○上記実施形態では、音声メール装置１８は、複数の音声データを組み合わせて指定コードに関連づけられたメッセージを音声出力していたが、一の指定コードに一の音声データを関連づけて、音声データを組み合わせることなしにメッセージを音声出力するようにしてもよい。
【００５６】
○上記実施形態では、コード蓄積部２５を処理手段として機能させ、コード蓄積部２５に制御命令を処理させたが、音声メール装置１８の他の部材、例えば、出力音声選択回路２６を処理手段として機能させ、制御命令を処理させても良い。
【００５７】
上記の実施形態及び別例から把握できる技術的思想を以下に記載する。
（イ）ユーザの現在位置を示す位置情報を送信する位置情報送信手段が備えられたことを特徴とする請求項１〜３のいずれか一項に記載の音声メール装置。
【００５８】
（ロ）前記指定コードは、テキストデータであることを特徴とする請求項１に記載の音声メール装置。
（ハ）前記応答コードは、テキストデータであることを特徴とする請求項３に記載の音声メール装置。
【００５９】
（ニ）音声データの組み合わせを指定する指定コードを移動体通信網を介して送信する送信端末と、予め所定パターンの音声データを複数記憶した音声記憶手段が備えられた音声メール装置と、が備えられた音声メールシステムにおいて、前記音声メール装置は、送信端末から受信した音声データの組み合わせを指定する指定コードを記憶する蓄積手段と、所定範囲内にユーザが存在するか否かを検出する検出手段と、前記検出手段の検出結果に基づき前記所定範囲内にユーザが存在するとき、前記蓄積手段の指定コードに従って前記音声記憶手段の音声データを選択する選択手段と、前記選択手段が選択した音声データに基づいて音声出力する出力手段と、が備えられたことを特徴とする通信システム。
【００６０】
（ホ）前記音声メール装置は、ユーザの状況を示す応答コードを送信する送信手段が備えられ、前記送信端末は、前記音声メール装置から受信した応答コードに基づいて、ユーザの状況を表示する監視手段が備えられたことを特徴とする（ニ）に記載の通信システム。
【００６１】
【発明の効果】
以上詳述したように、本発明によれば、通信量が少なく、操作の手間を省くことができる音声メール装置を提供することができる。
【図面の簡単な説明】
【図１】通信システムの概略構成図。
【図２】（ａ）は指定コードに関するデータテーブル、（ｂ）は応答コードに関するデータテーブル、（ｃ）は音声出力ＩＣに記憶された音声データに関するデータテーブル。
【図３】監視画面の説明図。
【図４】音声メール装置のブロック図。
【図５】指定コードを蓄積する際の流れを示すフローチャート。
【図６】メッセージを音声出力する際の流れを示すフローチャート。
【符号の説明】
１１…通信システム、１２…送信端末、１４…移動体通信網、１８…音声メール装置、２５…コード蓄積部、２６…出力音声選択回路、２７ａ〜２７ｎ…音声出力ＩＣ、２９…スピーカ、３０…人体検出センサ、３１…メール受信スイッチ、３３…受信応答スイッチ、３４ａ…第１の通知スイッチ、３４ｂ…第２の通知スイッチ、３４ｃ…第３の通知スイッチ。
【図１】
2004343221.tif 000003
【図２】
2004343221.tif 000004
【図３】
2004343221.tif 000005
【図４】
2004343221.tif 000006
【図５】
2004343221.tif 000007
【図６】
2004343221.tif 000008